(57)【要約】【課題】浴室の扉側の壁およびサッシへのカビの発生を良好に防止することのできる浴室換気装置を提供する。【解決手段】浴室の扉５１に吹出口９，９，９とファン７を設け、ファン７を回転させて外気を吹出口９，９，９から室内へ吹き出すように構成した浴室換気装置において、吹出口９，９，９は、縦方向に並んで複数形成され、しかも各吹出口９，９は扉５１近傍の浴室の壁の方向に向いて開口されている。【選択図】図３
2009097789.tif 000002
【特許請求の範囲】
【請求項１】
浴室の扉に吹出口とファンを設け、該ファンを回転させて外気を前記吹出口から室内へ吹き出すように構成した浴室換気装置において、
前記吹出口は、縦方向に並んで複数形成されているか又は縦長に形成されていることを特徴とする浴室換気装置。
【請求項２】
室内に吹き出される外気が浴室の内周を構成する壁に沿って流れるように、前記吹出口が扉近傍の壁の方向を向いていることを特徴とする請求項１に記載の浴室換気装置。
【請求項３】
前記ファンから送られてくる外気の一部が、前記扉の周面からも吹き出されるように、前記扉の少なくとも底面に吹出部を設けたことを特徴とする請求項１または請求項２に記載の浴室換気装置。
【発明の詳細な説明】
【技術分野】
【０００１】
本発明は、浴室の換気装置に関するものである。
【背景技術】
【０００２】
従来、特許文献１に開示されているように、浴室ドアの一部に開口を設け、この開口に換気扇を設けた構造の浴室換気装置が存在する。
また、特許文献２に開示されているように、浴室ドアに縦方向に外気吹出口を設けたものが存在する。
【特許文献１】特開平８−２９９２１７号公報
【特許文献２】実開平５−１４４８０号公報
【発明の開示】
【発明が解決しようとする課題】
【０００３】
上記特許文献１に開示されているものは、浴室ドアに換気扇を設けただけの構造であり、また、上記特許文献２に開示されている構造では、吹き出される風は浴室の壁方向に吹き出されるものではなかった。
そのため、上記特許文献１および特許文献２の構造では、浴室壁に発生するカビを有効に防ぐことができないものであった。
【課題を解決するための手段】
【０００４】
本発明は、浴室の扉側の壁の防カビ効果、および、扉の周囲のサッシの防カビ効果のある浴室換気装置を提供することを目的の１つとし、この目的の少なくとも一部を達成するために以下の手段を採った。
本発明は、浴室の扉に吹出口とファンを設け、該ファンを回転させて外気を前記吹出口から室内へ吹き出すように構成した浴室換気装置において、前記吹出口は、縦方向に並んで複数形成されているか又は縦長に形成されていること要旨とする。
【発明の効果】
【０００５】
扉に設けられた吹出口は縦方向に複数並んで形成されているか、または縦長に形成されているため、吹出口から縦方向に外気を浴室内に吹き出させて、浴室の壁の上下方向全域に外気を流すことができ、防カビ効果が得られる。
また、通常の扉の下方に設けられている換気用のガラリは不要となるため、ガラリからの隙間風をなくすことができて、冬場などに洗い場で寒さを感じることがない。
【０００６】
また、上記浴室換気装置において、室内に吹き出される外気が浴室の内周を構成する壁に沿って流れるように前記吹出口が扉近傍の壁の方向を向いている構成とすることもできる。
こうすれば、吹出口から扉近傍の浴室壁に外気を吹き付けて、壁に沿って外気を浴室内周に流すことができ、特に、扉側の浴室の壁に発生するカビを良好に無くすことができるものとなる。
【０００７】
また、上記浴室換気装置において、前記ファンから送られてくる外気の一部が、前記扉の周面からも吹き出されるように、前記扉の少なくとも底面に吹出部を設けた構成とすることもできる。
こうすれば、扉の底面の吹出部から外気を吹き出して、扉の外周のサッシ枠等に発生するカビを良好に防ぐことができるものとなる。
【発明を実施するための最良の形態】
【０００８】
次に、本発明を実施するための最良の形態を実施例を用いて説明する。
図１は、浴室の平面構成図であり、浴室の洗い場２と浴槽３の外周には、壁４ａ，４ｂ，４ｃ，４ｄが立設されており、壁４ｄ側には開閉可能に扉５が設けられている。また、浴槽３の上方の天井には排気用の換気扇Ｋが設けられている。
扉５は、図１では折り戸で構成されており、主折り戸５１と副折り戸５２が連結軸５３で連結され、主折り戸５１に対し副折り戸５２を重ね合わせ状に折り畳むことができるものであり、この扉５は蝶番で構成されたヒンジ部６を介し壁４ａ側へ開閉できるように設けられたものである。
【０００９】
この扉５の洗い場２側から見た正面図を図２に示し、また図３では、図２におけるＡ−Ａ線断面図を示す。
扉５を構成する主折り戸５１のヒンジ部６側には、縦方向に間隔をおいて複数の吹出口９が主折り戸５１の上下方向のほぼ全域に形成されている。
図３に示すように、主折り戸５１は、洗い場２側の面を構成する室内壁部５１ａと脱衣室側の室外壁部５１ｂ間に縦方向に風洞Ｓが形成された構造となっており、室内壁部５１ａ側に縦方向に複数の吹出口９，９，９が開口されている。また、この主折り戸５１の下端側には水抜き用のスリットが形成されているが、この水抜き用のスリット１０からも下方側へ風を吹き出すことができるように構成されている。
【００１０】
主折り戸５１の風洞Ｓの上端にはシロッコファン７が設けられており、シロッコファン７の室外壁部５１ｂ側には外気を吸い込む吸気口８が開口されている。なお、シロッコファン７は、例えば直径１００ｍｍ程度のもので、その厚さが２０〜３０ｍｍ程度の小型のシロッコファンで構成されている。
【００１１】
なお、複数の吹出口９は、例えば図４に図２のＢ−Ｂ線断面図を示すように、主折り戸５１内の風洞Ｓから室内壁部５１ａ側に向かって延びる延出通路９１が形成され、延出通路９１の先端で９０°折曲されて折曲通路９２が形成され、折曲通路９２の先端で延出通路９１と平行状に９０°折曲されて吹出通路９３が形成され、吹出通路９３の室内壁部５１ａ側が吹出口９となっており、このように吹出口９と風洞Ｓを繋ぐ通路を曲がった通路に形成させておくことにより、洗い場２側からの風洞Ｓ内への水の侵入を良好に防ぐことができるものとなる。
【００１２】
このような構造においては、シロッコファン７が回転されることにより、吸気口８から外気を風洞Ｓ内に吸い込み、風洞Ｓから通路９１，９２，９３を通って吹出口９から浴室１内に外気が吹き出され、この外気は縦方向に形成されている複数の吹出口９から縦方向に吹き出されて、図１に示すように壁４ａ，４ｂに沿って流れ、浴槽３の上方の天井に設けられている換気扇Ｋに向かって流される。しかも壁４ａ，４ｂの上下方向の全域に亘って風が流れるため、この壁４ａ，４ｂの内周に発生しようとするカビを良好に防ぐことができるものとなる。
【００１３】
また、図５に示すように、洗い場２を構成する防水パン２１の枠受部２１ａ上に扉下枠１１が設けられて、この扉下枠１１上に扉を構成する主折り戸５１が立設される構造では、脱衣室側の床面１４と扉下枠１１，主折り戸５１間をシールするためにパッキン１２とパッキン１３が配設されているが、扉下枠１１には洗い場２側から水滴が付着し易く、この部分にカビが発生し易いが、主折り戸５１の底面に開口されている水抜き用のスリットを兼用する吹出部１０からも風洞Ｓを通る外気が吹き出されることで、扉下枠１１周辺のカビの発生を良好に防ぐことができるものとなる。
【００１４】
なお、パッキン１２，１３の存在しない図６のような構造においても、良好に吹出部１０から扉下枠１１に外気を当てて、カビの発生を良好に防ぐことができるものとなる。
なお、図６では、防水パン２１の外周に立ち上げ状に立上部２１ｂが一体形成され、この立上部２１ｂの上端に略水平に枠受部２１ａが形成されており、この枠受部２１ａ上に扉下枠１１が設置されるタイプである。
【００１５】
なお、本例では、主折り戸５１の下端底面に吹出部１０を形成させたものを例示しているが、主折り戸５１の天面部および左右の側面部などの周面にも同様に吹出部を開口させておくと、扉５の天枠および左右の側枠に発生するカビをも良好に防ぐことができるものとなる。
なお、本例では、上下方向に複数の吹出口９，９，９を開口させたものを例示しているが、この複数の吹出口９は縦長状のものであっても良く、縦長のスリット状に上下方向に長い１個または複数の吹出口９で構成することもできる。
【００１６】
このように縦方向に吹出口９から浴室１内に外気を吹き出す構造であり、扉５には従来のように下端側にガラリを設けておく必要がないため、従来では冬場などに洗い場２で洗髪等を行う際に下端側のガラリから隙間風が入って寒く感じることがあったが、本例では隙間風が洗い場２に入ってくることはない。
【００１７】
図７は変更例を示す平面概略構成図である。
図７では、扉５は１枚の面材５５で形成されたものであり、この面材５５に、扉５近傍の壁４ａに向かって斜め方向に傾斜させて、縦方向に複数の吹出口９を形成させたものである。また、面材５５の吹出口９の位置の脱衣室側には、断面コの字状のダクト部材１６を取り付けておき、このダクト部材１６と面材５５間で上下方向の風洞Ｓを形成させ、風洞Ｓの上端側にシロッコファン７を設けて構成することができ、シロッコファンが回転されることによりダクト部材１６内の風洞Ｓを通り、縦方向の複数の吹出口９から壁４ａに向かって外気が吹き出されて、良好に壁４ａに沿って外気を上下方向全域に流すことができるものである。
【００１８】
特に、扉５が洗い場２側へ開かれた状態では、扉５は壁４ａ側にほぼ当接状態となり、壁４ａにカビが発生しやすくなるが、この扉５近傍の壁４ａへ吹出口９から外気を吹き付けて、この壁４ａの扉５近傍のカビの発生を確実に防ぐことができるものとなる。
なお、図７において、扉５は、面材５５の外周に框部材が額縁状に設けられており、図７では右縦框５６ａと左縦框５６ｂを示し、左右の縦框５６ａ，５６ｂの外側にはドア枠１５ａ，１５ｂが立設されるものである。
【００１９】
なお、図８の平面断面図で示すものは、縦方向に立設された扉５の面材５５の外周に縦方向に設けられた縦框５６を利用して、この縦框５６内の上端側にシロッコファン７を内装させた構造であり、縦方向の縦框５６内には縦方向に風洞Ｓが形成されており、縦框５６の脱衣室側には吸気口８がシロッコファン７と対応する位置に開口されている。また、縦框５６の浴室１側にはユニット壁４側に向かって傾斜状に吹出口９が形成されており、この吹出口９は縦框５６の上下全域に縦方向に所定間隔で複数形成されたものである。
【００２０】
この縦框５６は、浴室壁を構成するユニット壁４にヒンジ６で開閉可能に連結されている。また、本例のユニット壁４は、内部に空間４Ｓが形成された構造となっている。
このユニット壁４内のヒンジ部６側に一次コイル１７ａを設けておき、この一次コイル１７ａと対向状に縦框５６内に二次コイル１８ａを設けて構成することができ、一次コイル１７ａから電磁誘導で二次コイル１８ａに電力を送ることができて、無配線の構造とすることができ、良好にシロッコファン７に電力を供給してシロッコファン７を回転させることができるものである。
【００２１】
なお、さらに、ユニット壁４内に、想像線で示す位置にも一次コイル１７ｂを設けておき、縦框５６内の吹出口９側の位置に想像線で示す二次コイル１８ｂを設けておくこともでき、このような構造では、ヒンジ部６を中心として扉５がユニット壁４側へ開かれた時に一次コイル１７ｂと二次コイル１８ｂが対向状に整合して、一次コイル１７ｂから二次コイル１８ｂに電磁誘導で電力を送ることができるものとなり、扉５が開かれた状態でもシロッコファン７を回転させて吹出口９からユニット壁４に沿って外気を流すことができ、特に扉５側のユニット壁４にはカビが発生しやすいため、この扉５近傍のユニット壁４に確実に外気を上下方向全域に当ててカビを防ぐことができるものとなる。
【図面の簡単な説明】
【００２２】
【図１】浴室の平面概略構成図である。
【図２】浴室扉を浴室内側から見た扉の正面構成図である。
【図３】図２のＡ−Ａ線断面構成図である。
【図４】図２のＢ−Ｂ線断面構成図である。
【図５】扉の立設状態の縦断面構成図である。
【図６】パッキン無しタイプの浴室の扉の立設状態の縦断面構成図である。
【図７】面材で構成された扉の配置状態の平面構成図である。
【図８】扉の縦框内にファンおよび吹出口を設けた変形例の要部平面断面構成図である。
【符号の説明】
【００２３】
１  浴室
２  洗い場
３  浴槽
４，４ａ，４ｂ，４ｃ，４ｄ  壁
４Ｓ  空間
５  扉
６  ヒンジ部（蝶番）
７  シロッコファン
８  吸気口
９  吹出口
１０  吹出部
１１  扉下枠
１２，１３  パッキン
１４  脱衣室側床面
１５ａ，１５ｂ  ドア枠
１６  ダクト部材
１７ａ，１７ｂ  一次コイル
１８ａ，１８ｂ  二次コイル
２１  防水パン
２１ａ  枠受部
５１  主折り戸
５１ａ  室内壁部
５１ｂ  室外壁部
５２  副折り戸
５５  面材
５６，５６ａ，５６ｂ  縦框
Ｓ  風洞
【図１】
2009097789.tif 000003
【図２】
2009097789.tif 000004
【図３】
2009097789.tif 000005
【図４】
2009097789.tif 000006
【図５】
2009097789.tif 000007
【図６】
2009097789.tif 000008
【図７】
2009097789.tif 000009
【図８】
2009097789.tif 000010